(57)【要約】【課題】光触媒コーティングを施した基材に、光触媒効果を判定するための判定液を塗布することにより、光触媒効果の有無を目視により容易に判定する。【解決手段】光触媒の有機物分解効果により変色又は脱色する色素と水性媒体とを含む、或いは、判定対象面に塗布された際に、該判定対象面の水接触角の程度に応じて異なる濡れ性又は広がり性を示す光触媒効果の判定液。光触媒効果の判定液を収容する液溜め部２と、液溜め部２内の液が浸透する筆先部３とを有する光触媒効果の判定液の塗布器１。この筆先部３を判定対象面に接触させることによって、判定液を判定対象面に塗布し、判定液の広がり状況、塗布された判定液又はその乾燥物の変色又は脱色状況から、判定対象面の光触媒効果を判定する。【選択図】  図１
2004151095.tif 000002
【特許請求の範囲】
【請求項１】
光触媒効果を判定するための判定液であって、光触媒の有機物分解効果により変色又は脱色する色素と水性媒体とを含むことを特徴とする光触媒効果の判定液。
【請求項２】
光触媒効果を判定するための判定液であって、判定対象面に塗布された際に、該判定対象面の水接触角の程度に応じて異なる濡れ性又は広がり性を示すことを特徴とする光触媒効果の判定液。
【請求項３】
請求項２において、水性媒体を含むことを特徴とする光触媒効果の判定液。
【請求項４】
請求項１又は３において、該水性媒体は水であることを特徴とする光触媒効果の判定液。
【請求項５】
光触媒効果の判定液を収容する液溜め部と、該液溜め部内の液が浸透する筆先部とを有する光触媒効果の判定液の塗布器。
【請求項６】
請求項５において、該塗布器は把持可能な大きさであることを特徴とする光触媒効果の判定液の塗布器。
【請求項７】
請求項６において、該液溜め部は棒状であることを特徴とする光触媒効果の判定液の塗布器。
【請求項８】
請求項５ないし７のいずれか１項において、該筆先部に着脱可能なキャップが装着されていることを特徴とする光触媒効果の判定液の塗布器。
【請求項９】
請求項５ないし８のいずれか１項において、該判定液が請求項１ないし４のいずれか１項に記載の光触媒効果の判定液であることを特徴とする光触媒効果の判定液の塗布器。
【請求項１０】
請求項１ないし４のいずれか１項に記載の光触媒効果の判定液を判定対象面に塗布し、塗布された判定液の該判定対象面での広がり状況と、塗布された判定液又はその乾燥物の変色又は脱色状況との少なくとも一方から、該判定対象面の光触媒効果を判定することを特徴とする光触媒効果の判定方法。
【請求項１１】
請求項５ないし９のいずれか１項の光触媒効果の判定液の塗布器の筆先部を判定対象面に接触させることによって、前記判定液を該判定対象面に塗布することを特徴とする請求項１０に記載の光触媒効果の判定方法。
【発明の詳細な説明】
【技術分野】
【０００１】
本発明は、光触媒効果の判定液及びその塗布器並びに光触媒効果の判定方法に係り、特に、光触媒コーティングを施した基材の光触媒効果を容易に判定することができる判定液と、この判定液を判定対象面に容易に塗布することができる簡易な塗布器と、この判定液又は塗布器を用いて光触媒効果の有無を目視により容易に判定する方法に関する。
【背景技術】
【０００２】
光触媒は、紫外線が照射されると電子及び正孔対を生じ、ヒドロキシラジカルやスーパーオキサイドアニオンのラジカル物質を発生し、環境汚染物質や悪臭物を分解することにより、防汚、防臭、抗菌等の諸機能を発揮する。また、光触媒が紫外線の照射により光励起すると、光触媒コーティング面は水との接触角が約０度になる程度に高度に親水化される。このように高度に親水化された光触媒コーティング面は、凝縮湿分や湯気で曇ったり、付着水滴で翳ったりするのが防止される。また、付着した疎水性の煤塵や汚染物は雨水等により洗い流され表面は浄化され、良好な自己洗浄化機能が得られる。
【０００３】
このような光触媒には、酸化チタン、酸化スズ、酸化タングステン、酸化亜鉛等の金属酸化物や硫化カドミウム、硫化銅等の金属硫化物等があり、その中でも酸化チタン、特にアナターゼ型の酸化チタンは光触媒活性に優れていることが知られている。そして、光触媒コーティングは、これらの光触媒の微粉末を水又は有機溶剤に溶解ないし分散させたコーティング液を処理対象基材に塗布し、乾燥及び必要に応じて硬化させることにより形成される。
【発明の開示】
【発明が解決しようとする課題】
【０００４】
このようにして形成されたコーティング膜は、光触媒活性を発揮するに十分な量の紫外線が照射されると初めて光触媒活性が発揮されるものであるが、一般に、光触媒コーティング膜が施された面と光触媒コーティング膜が施されていない面とでは、外観上殆ど差異がなく、このために、光触媒効果の有無を目視により簡単に確認することができない。そして、このことが、光触媒コーティング工程において、不良品発生の原因となり、また、工程管理を煩雑なものとしていた。
【０００５】
本発明は上記従来の問題点を解決し、光触媒コーティングを施した基材の光触媒効果を容易に判定することができる判定液と、この判定液を判定対象面に容易に塗布することができる簡易な塗布器と、この判定液又は塗布器を用いて光触媒効果の有無を目視により容易に判定する方法を提供することを目的とする。
【課題を解決するための手段】
【０００６】
本発明の光触媒効果の判定液は、光触媒効果を判定するための判定液であって、光触媒の有機物分解効果により変色又は脱色する色素と水性媒体とを含む、或いは、判定対象面に塗布された際に、該判定対象面の水接触角の程度に応じて異なる濡れ性又は広がり性を示すことを特徴とする。
【０００７】
このような判定液を判定対象面に塗布することにより、次のようにして光触媒効果の有無を、目視にて容易かつ確実に判定することができる。
【０００８】
(1)  判定液の濡れ性又は広がり状況により、光触媒効果の有無を判定することができる。即ち、判定対象面が光触媒効果を示すものであれば、その面は親水化されているため、判定液の濡れ性が良く（水接触角が小さく）、判定対象面に塗布された判定液ははじかれることなく広がって、判定対象面を良好に濡らすことができる。
【０００９】
(2)  塗布された判定液又はその乾燥物の変色又は脱色状況により、光触媒効果の有無を判定することができる。即ち、判定対象面が光触媒効果を示すものであれば、判定液内の色素が光触媒の有機物分解効果により分解されて変色又は脱色する。
【００１０】
この判定液は、水等の水性媒体を含むものであることが好ましい。
【００１１】
本発明の光触媒効果の判定液の塗布器は、光触媒効果の判定液、好ましくは本発明の光触媒効果の判定液を収容する液溜め部と、該液溜め部内の液が浸透する筆先部とを有することを特徴とする。
【００１２】
この塗布器であれば、筆先部を判定対象面に接触させることにより、液溜め部から浸透した判定液を判定対象面に塗布することができる。
【００１３】
この塗布器は、把持可能な大きさで、液溜め部は棒状であることが好ましく、また、筆先部には着脱可能なキャップが装着されていることが好ましい。
【００１４】
本発明の光触媒効果の判定方法は、このような本発明の光触媒効果の判定液を、好ましくは本発明の光触媒効果の判定液の塗布器の筆先部を判定対象面に接触させることによって、前記判定液を該判定対象面に塗布し、塗布された判定液の該判定対象面での濡れ性又は広がり状況と、塗布された判定液又はその乾燥物の変色又は脱色状況との少なくとも一方から、該判定対象面の光触媒効果を判定することを特徴とするものであって、簡易な塗布器を用いて判定液を判定対象面に塗布するのみで、判定対象面の光触媒効果を、現場にて作業員の目視により容易かつ確実に判定することができる。
【発明の効果】
【００１５】
本発明によれば、光触媒効果の有無を、目視にて容易かつ確実に判定することができる。特に、本発明の光触媒効果の判定液の塗布器を用いることにより、簡易な光触媒効果の判定液の塗布器により、光触媒コーティング施工現場にて処理効果を容易かつ明確に確認することができるため、工程管理を簡素化した上で不良品の発生を確実に防止することができる。
【発明を実施するための最良の形態】
【００１６】
以下に本発明の実施の形態を詳細に説明する。
【００１７】
本発明の光触媒効果の判定液は、光触媒により分解されて変色又は脱色する色素と水等の水性媒体を含むもの、或いは、判定対象面に塗布された際に、該判定対象面の水接触角の程度に応じて異なる濡れ性又は広がり性を示し、該液の濡れ性又は広がり性により、該判定対象面の水接触角の大小を判定することにより光触媒効果を判定する、好ましくは水等の水性媒体を含むものである。
【００１８】
光触媒により分解されて変色又は脱色する色素としては、従来から公知の有機染料が使用でき、例えば、化学構造的に分類すると、モノアゾ染料、ポリアゾ染料、ピラゾロンアゾ染料、スチルベンアゾ染料、チアゾールアゾ染料などのアゾ系染料類、アントラキノン誘導体染料、アントロン誘導体染料などのアントラキノン系染料類、インジゴ誘導体染料、チオインジゴ誘導体染料などのインジゴイド系染料類、フンタロシアニン系染料類、ジフェニルメタン染料、トリフェニルメタン染料、キサンテン染料、アクリジン染料などのカルボニウム系染料類、アジン染料、オキサジン染料、チアジン染料などのキノンイミン系染料類、ポリメチン染料、ジアニン染料、アゾメチン染料などのメチン系染料類、ジアリルメタン系染料、トリアリルメタン系染料などのアリルメタン系染料類、キノリン系染料類、ニトロ系染料類、ニトロソ系染料類、ベンゾキノン系染料類、ナフトキノン系染料類、ナフトール系染料類、ナフタルイミド系染料類、ペリノン系染料類などが挙げられる。これらの染料は１種もしくは２種以上を組合わせて使用することができる。
【００１９】
判定液中の色素の含有量が少ないと、着色力不足により、光触媒分解による変色又は脱色の視認性が劣り、多過ぎると着色成分過剰により逆に変色又は脱色の判定が困難になるため、判定液中の色素濃度は、０．５〜３．０重量％程度とするのが好ましい。
【００２０】
図１は本発明の光触媒効果の判定液の塗布器の実施の形態を示す正面図である。
【００２１】
この塗布器１は、光触媒効果の判定液を収容する液溜め部２と、この液溜め部２に基端側が連なり、液溜め部２内の判定液が浸透する筆先部３とを有し、液溜め部２と筆先部３の基端側は有底筒状の本体部４内に収容されている。また、本体部４の筆先部３側には、着脱可能なキャップ５が装着される。
【００２２】
この塗布器１は、把持可能な大きさの棒状のものであり、ペンのようにして作業員が手で持って判定対象面に筆先部３の先端を接触させると、液溜め部２内の判定液が筆先部３に浸透して先端から浸出して判定対象面に塗布される。
【００２３】
この光触媒効果の判定液の塗布器に用いられる判定液としては、特に前述の本発明の判定液が好ましい。
【００２４】
このような本発明の塗布器により、本発明の判定液を用いて光触媒効果を判定するには、本発明の方法に従って、塗布器の筆先部３を判定対象面に接触させることによって、判定液を判定対象面に塗布し、塗布された判定液の該判定対象面での濡れ性又は広がり状況と、塗布された判定液又はその乾燥物の変色又は脱色状況との少なくとも一方から、判定対象面の光触媒効果を判定する。
【００２５】
即ち、判定対象面が光触媒効果を示すものであれば、その面は親水化されているため、水性媒体よりなる判定液の濡れ性が良く、判定対象面に塗布された判定液ははじかれることなく広がって、判定対象面を良好に濡らすことができる。従って、判定液の濡れ性又は広がり性が良ければ光触媒効果が有り、濡れ性又は広がり性が悪ければ光触媒効果は無いと判定することができる。
【００２６】
また、判定対象面が光触媒効果を示すものであれば、判定液内の色素が光触媒により分解されて変色又は脱色する。このため、塗布された判定液又はその乾燥物の変色又は脱色が起これば光触媒効果が有り、このような変色又は脱色が起こらなければ光触媒効果は無いと判定することができる。
【００２７】
いずれの判定も、簡易な塗布器を用いて、現場にて作業員の目視により行うことができ、作業効率に優れる。
【産業上の利用可能性】
【００２８】
本発明は、光触媒コーティングを施した建材、その他の各種の基材面の光触媒効果を現場にて簡易に判定する手段として有用である。
【図面の簡単な説明】
【００２９】
【図１】本発明の光触媒効果の判定液の塗布器の実施の形態を示す正面図である。
【符号の説明】
【００３０】
１  塗布器
２  液溜め部
３  筆先部
４  本体部
５  キャップ
【図１】
2004151095.tif 000003